(57)【特許請求の範囲】
【請求項１】
略直立あるいは傾斜したコンクリート製等の壁面に、植物を植生させて緑化するための壁面緑化構造において、上記壁面に取り付けられる内側メッシュシートと、内側メッシュシートから所定距離隔てて設けられた外側メッシュシートと、その内外のメッシュシート間に介設されると共に上下間隔を置いて配列された水平メッシュ筒と、その内外のメッシュシートと上下の水平メッシュ筒で区画された空間に充填され、植物の根部を植生させるための水苔層と、上記水平メッシュ筒の任意の段に、その水平メッシュ筒を挿通するように設けられ、水平メッシュ筒を通してその下方の水苔層に灌水するための灌水管とを備え、上記水苔層に植生された植物の幹および葉の部分を上記外側メッシュシートの網目より繁らせて壁面を緑化するように構成したことを特徴とする壁面緑化構造。
【請求項２】
上記壁面と内側メッシュシート間、或いは内側メッシュシートの前面に防根シートが設けられる請求項１記載の壁面緑化構造。
【請求項３】
内外のメッシュシートとその間に介設される水平メッシュ筒とは、壁面に設けたアンカーで支持される請求項１または２記載の壁面緑化構造。
【請求項４】
任意の段の水平メッシュ筒内に、その水平メッシュ筒内に流下する水を濾過して浄化するための浄化材を充填した請求項１〜３いずれかに記載の壁面緑化構造。
【請求項５】
上記灌水管は、水平メッシュ筒を挿通するように設けられると共にその長さ方向に適宜間隔で給水孔が穿設された給水パイプと、その給水パイプを覆う多孔質のチューブとからなる請求項１〜４いずれかに記載の壁面緑化構造。
【請求項６】
上方から下方にかけた水平メッシュ筒の１本おきに灌水管を挿通すると共に、その間の水平メッシュ筒内に浄化材を充填して浄化層を形成し、上記灌水管の上下端部を連結管で順次連結すると共に最上段の灌水管を給水源に接続して上方の灌水管から下方の灌水管に順次給水する請求項１〜５いずれかに記載の壁面緑化構造。
【請求項７】
上下の水平メッシュ筒間に、格子状に垂直メッシュ筒を連結した請求項１〜６いずれかに記載の壁面緑化構造。
【請求項８】
格子状に区画されて分割区画形成された空間に水苔層を充填し、その水苔層の前面を覆う外側メッシュシートに開閉自在な開閉部を形成した請求項１〜７いずれかに記載の壁面緑化構造。
【請求項９】
上記水平メッシュ筒が合成樹脂製の多孔質管体から構成される請求項１〜８いずれかに記載の壁面緑化構造。
【請求項１０】
略直立あるいは傾斜したコンクリート製等の壁面に、植物を植生させて緑化するための壁面緑化工法において、上記壁面にこれを保護する防根シートを重ね合わせ、該防根シートの前面に内側メッシュシートを設け、その内側メッシュシートから所定距離隔てて外側メッシュシートを設けると共にその内外のメッシュシート間に上下間隔を置いて水平メッシュ筒を配列してこれら内外のメッシュシートと水平メッシュ筒とを一体に連結して骨組み体を形成し、その内外のメッシュシートと上下の水平メッシュ筒で区画された空間に、植物の根部を植生させるための水苔層を充填し、上記水平メッシュ筒の任意の段に、その水平メッシュ筒を通してその下方の水苔層に灌水するための灌水管を設け、上記水苔層に、植物の幹および葉の部分を上記外側メッシュシートの網目より植生したことを特徴とする壁面緑化工法。
【請求項１１】
略直立あるいは傾斜したコンクリート製等の壁面に、植物を植生させて緑化するための壁面緑化工法において、内側メッシュシートと所定距離隔てて設けた外側メッシュシート間に上下間隔を置いて水平メッシュ筒を配列してこれら内外のメッシュシートと水平メッシュ筒とを一体に連結して骨組み体を形成し、その内外のメッシュシートと上下の水平メッシュ筒で区画された空間に、植物の根部を植生させるための水苔層を充填し、上記水平メッシュ筒の任意の段に、その水平メッシュ筒を通してその下方の水苔層に灌水するための灌水管を設け、上記水苔層に、植物の幹および葉の部分を上記外側メッシュシートの網目より植生し、さらにこの骨組み体を壁面に取り付けたことを特徴とする壁面緑化工法。
【発明の詳細な説明】
【０００１】
【発明の属する技術分野】
本発明は、略直立あるいは傾斜したコンクリート製等の壁面に、植物を植生させて緑化するための壁面緑化構造及び壁面緑化工法に関するものである。
【０００２】
【従来の技術】
近年、景観の向上や都市部のヒートアイランド現象を緩和するために、建物やコンクリート壁等の壁面を緑化する機運が急激に高まっている。このような壁面緑化の一例として、一般的に美しいと思う心を呼び覚まされるのは、石の家の壁面に絡み付いた夏蔦の緑であり、秋にはその見事な紅葉がまず第一に思い起こされる。年間を通して緑の蔦類なども石との調和で大変美しいものである。
【０００３】
現在の壁面緑化に求められているのは、例えば、美しく壁面を彩ること、四季の温度変化から壁面を守ること、断熱効果により室内温度の変化を緩和し、エネルギーロスを少なくし、結果として壁面及び建物自体の寿命にも良い効果を発揮することなどである。
【０００４】
これらの点を考慮した従来の壁面緑化としては、以下の三つの代表的な壁面緑化構造および方法・工法がある。
【０００５】
▲１▼古い洋館などに見られるように、壁面に夏蔦などの植物を直接絡ませる方法により、壁面緑化構造とする。▲２▼蔦類の成長の早さ、紅葉の美しさをうまく利用するべく、壁面に、壁面から所定距離を置いて壁面と平行にネットやワイヤーなどを取り付け、そのネットやワイヤーに蔦類を絡ませ、最終的に壁面全体を蔦類で覆う方法により、壁面緑化構造とする。▲３▼壁面自体にコンクリート等の植樹桝を構造的に取り付け、その植樹桝に植樹する工法（例えば、特許文献１参照。）により、壁面緑化構造とする。この植樹桝としては、水耕栽培型と土壌栽培型がある。
【０００６】
【特許文献１】
特開平８−１０５０７０号公報
【０００７】
【発明が解決しようとする課題  】
しかしながら、▲１▼では、蔦のみを用いているので、壁面緑化を薄くかつ軽量で行うことができるものの、壁面緑化が完全に蔦任せになるという問題がある。その他にも、植物の根による壁への侵入や吸着にびくともしないように、レンガ壁等の分厚い壁が必要である。たとえ壁自体が分厚くても、屋根や窓周りなどの接続部に管理的な配慮が必要であり、管理コストも高い。さらに蔦類全体に言えることだが、蔦類は非常に生長が早いので、見た目よりはるかに手間がかかる。それにもかかわらず、壁面全体を緑化するには数年もの時間が必要である。
【０００８】
▲２▼では、蔦を案内するネットやワイヤーを使用しているので、壁面緑化が完全に蔦任せにならず、比較的安価で蔦の生育特性をうまく利用した方法だが、植物の種類が蔦類に限られるという問題がある。
【０００９】
▲３▼では、コンクリート等の植樹桝を用いているので、蔦以外の植物を植樹できるが、施工コストが高く、重いので壁に負担がかかるという問題がある。また、ややもすると植物よりもベースの植樹桝の方が目立ち、全体に見苦しく軽快さに欠け、美しくないものが多い。さらにこの方法は多くの場合、植物のための専用スペースと厚さを必要とするので、特に直立した（垂直な）壁面を緑化する場合には、コストクオリティから見ても勧められない。さらに、植樹桝がない箇所には植樹できないので、植物の配置箇所に制限があるという問題もある。
【００１０】
したがって、上記課題を解決すると共に、▲１▼と▲３▼の双方の長所を兼ね備えた壁面緑化構造および壁面緑化工法が望まれる。
【００１１】
そこで、本発明の目的は、特に直立した壁面を容易かつ自在に緑化でき、しかも薄型かつ軽量な壁面緑化構造および壁面緑化工法を提供することにある。
【００１２】
【課題を解決するための手段】
本発明は上記目的を達成するために創案されたものであり、請求項１の発明は、略直立あるいは傾斜したコンクリート製等の壁面に、植物を植生させて緑化するための壁面緑化構造において、上記壁面に取り付けられる内側メッシュシートと、内側メッシュシートから所定距離隔てて設けられた外側メッシュシートと、その内外のメッシュシート間に介設されると共に上下間隔を置いて配列された水平メッシュ筒と、その内外のメッシュシートと上下の水平メッシュ筒で区画された空間に充填され、植物の根部を植生させるための水苔層と、上記水平メッシュ筒の任意の段に、その水平メッシュ筒を挿通するように設けられ、水平メッシュ筒を通してその下方の水苔層に灌水するための灌水管とを備え、上記水苔層に植生された植物の幹および葉の部分を上記外側メッシュシートの網目より繁らせて壁面を緑化するように構成した壁面緑化構造である。
【００１３】
請求項２の発明は、上記壁面と内側メッシュシート間、或いは内側メッシュシートの前面に防根シートが設けられる請求項１記載の壁面緑化構造である。
【００１４】
請求項３の発明は、内外のメッシュシートとその間に介設される水平メッシュ筒とは、壁面に設けたアンカーで支持される請求項１または２記載の壁面緑化構造である。
【００１５】
請求項４の発明は、任意の段の水平メッシュ筒内に、その水平メッシュ筒内に流下する水を濾過して浄化するための浄化材を充填した請求項１〜３いずれかに記載の壁面緑化構造である。
【００１６】
請求項５の発明は、上記灌水管は、水平メッシュ筒を挿通するように設けられると共にその長さ方向に適宜間隔で給水孔が穿設された給水パイプと、その給水パイプを覆う多孔質のチューブとからなる請求項１〜４いずれかに記載の壁面緑化構造である。
【００１７】
請求項６の発明は、上方から下方にかけた水平メッシュ筒の１本おきに灌水管を挿通すると共に、その間の水平メッシュ筒内に浄化材を充填して浄化層を形成し、上記灌水管の上下端部を連結管で順次連結すると共に最上段の灌水管を給水源に接続して上方の灌水管から下方の灌水管に順次給水する請求項１〜５いずれかに記載の壁面緑化構造である。
【００１８】
請求項７の発明は、上下の水平メッシュ筒間に、格子状に垂直メッシュ筒を連結した請求項１〜６いずれかに記載の壁面緑化構造である。
【００１９】
請求項８の発明は、格子状に区画されて分割区画形成された空間に水苔層を充填し、その水苔層の前面を覆う外側メッシュシートに開閉自在な開閉部を形成した請求項１〜７いずれかに記載の壁面緑化構造である。
【００２０】
請求項９の発明は、上記水平メッシュ筒が合成樹脂製の多孔質管体から構成される請求項１〜８いずれかに記載の壁面緑化構造である。
【００２１】
請求項１０の発明は、略直立あるいは傾斜したコンクリート製等の壁面に、植物を植生させて緑化するための壁面緑化工法において、上記壁面にこれを保護する防根シートを重ね合わせ、該防根シートの前面に内側メッシュシートを設け、その内側メッシュシートから所定距離隔てて外側メッシュシートを設けると共にその内外のメッシュシート間に上下間隔を置いて水平メッシュ筒を配列してこれら内外のメッシュシートと水平メッシュ筒とを一体に連結して骨組み体を形成し、その内外のメッシュシートと上下の水平メッシュ筒で区画された空間に、植物の根部を植生させるための水苔層を充填し、上記水平メッシュ筒の任意の段に、その水平メッシュ筒を通してその下方の水苔層に灌水するための灌水管を設け、上記水苔層に、植物の幹および葉の部分を上記外側メッシュシートの網目より植生した壁面緑化工法である。
【００２２】
請求項１１の発明は、略直立あるいは傾斜したコンクリート製等の壁面に、植物を植生させて緑化するための壁面緑化工法において、内側メッシュシートと所定距離隔てて設けた外側メッシュシート間に上下間隔を置いて水平メッシュ筒を配列してこれら内外のメッシュシートと水平メッシュ筒とを一体に連結して骨組み体を形成し、その内外のメッシュシートと上下の水平メッシュ筒で区画された空間に、植物の根部を植生させるための水苔層を充填し、上記水平メッシュ筒の任意の段に、その水平メッシュ筒を通してその下方の水苔層に灌水するための灌水管を設け、上記水苔層に、植物の幹および葉の部分を上記外側メッシュシートの網目より植生し、さらにこの骨組み体を壁面に取り付けた壁面緑化工法である。
【００２３】
【発明の実施の形態】
以下、本発明の好適実施の形態を添付図面にしたがって説明する。
【００２４】
図１は、本発明の好適実施の形態を示す構造図である。
【００２５】
図１に示すように、壁面Ｗは地盤Ｅに対して垂直な壁面である。このような壁面Ｗとしては、例えば、建物自体の壁面、あるいは建物や平面駐車場の周囲を囲むブロック塀やコンクリート塀等の壁面、建物の屋上の周囲壁がある。
【００２６】
この建物の壁面としては、オフィスビルや駐車場ビルの壁面、或いは垣根や金網などの仕切などに使用される仕切壁等種々の形態がある。
【００２７】
本発明に係る壁面緑化構造１は、上述したような壁面Ｗに、蔦２、草花３、芝４等の植物を植生させて緑化するためのものであり、壁面Ｗに重ね合わされてこれを保護する防根シート６と、この防根シート６の前面に重ね合わされる内側メッシュシート７と、その内側メッシュシート７に対して所定間隔を隔てて設けられる外側メッシュシート１３と、その内外のメッシュシート７，１３間に介設され、高さ方向に所定の間隔を隔てて略水平に横断するようにそれぞれ取り付けられる水平メッシュ筒８と、内外のメッシュシート７、１３間と上下の水平メッシュ筒８間で区画された空間Ｓに水苔１８を充填して形成した、植物の根部を植生させるための水苔層１９と、水平メッシュ筒８の任意の段に、その水平メッシュ筒８を挿通するように設けられ、水平メッシュ筒８を通してその下方の水苔層１９に灌水するための灌水管１０と、他の段の水平メッシュ筒８に水を浄化する浄化材１２ｂが充填された浄化層１２とを備え、各水苔層１９に植生された植物の幹および葉の部分を外側メッシュシート１３の網目より繁らせて壁面Ｗを緑化するように構成したものである。
【００２８】
以下これを順次説明する。
【００２９】
先ず、図２〜図５により本発明に係る壁面緑化構造とその緑化工法を説明する。
【００３０】
図２〜図５は、小規模施工法の例を示したものである。
【００３１】
この小規模施工法は、壁面Ｗの緑化する部分の面積が比較的狭い場合（例えば、３０ｍ2 未満）に用いられ、壁面Ｗの緑化する部分を一括して緑化する工法であり、本例では、壁面Ｗの緑化する部分の面積が約１５ｍ2 （左右幅Ｘ約５ｍ×高さＨ約３ｍ）の例で説明する。
【００３２】
図２に示すように、緑化すべき壁面Ｗの緑化する部分に、上下左右間隔を置いてアンカー５を取り付けるために格子状に墨出しｂを行い、墨出しｂの各格子点となる壁面Ｗに、壁面Ｗから垂直方向へ所定長さ突出するようにアンカー５をそれぞれ取り付ける。アンカー５は、例えば、上下間隔ｈを３０ｃｍとし、左右間隔ｘを５０ｃｍとし、その本数は１ｍ2 当たり８．５本とする。
【００３３】
アンカー５としては、例えばＳＵＳネジアンカーを使用する。このＳＵＳネジアンカー５の壁面Ｗからの突出長さは、例えば、１００〜１２０ｍｍとなるようにする。またアンカー５は、その太さにもよるが、その一本あたり、最大荷重で約３．５ｋｇかかっても曲がらない強度のものを使用し、１ｍ2 当たり約３０ｋｇの荷重を支えることができるものを用いる。
【００３４】
次に、図３に示すように、アンカー５を取り付けた壁面Ｗに、植物の根による壁への侵入を防止して壁面Ｗを保護するための防根シート６を貼り付ける。防根シート６としては、例えば、ポリエチレンと発泡ポリエチレンシートをラミネートしたもの、あるいはポリ塩化ビニルを使用する。
【００３５】
この防根シート６の貼り付け後、その前面に、内側メッシュシート７をアンカー５に貫通するように取り付ける。
【００３６】
より具体的には、防根シート６から突出したアンカー５に、ロール状に巻かれたメッシュシート７を、壁面Ｗの上端よりも若干高い位置から余裕を持たせて巻き下ろしながら取り付けていき、壁面Ｗの下端に達したメッシュシート７をいったん袋状に巻き上げ、壁面Ｗの高さＨを正確に調べ、余計な部分を切り取った後、巻き上げたメッシュシート７を下ろす。
【００３７】
内側メッシュシート７の前面には、その上部より、上下間隔（図２のアンカー５の上下間隔ｈ）を置いて水平に水平メッシュ筒８を複数本配置すると共にこれら水平メッシュ筒８をメッシュシート７から突出したアンカー５に貫通するように取り付ける。各水平メッシュ筒８の長さは、壁面Ｗの緑化する部分に合わせて加工しておく。
【００３８】
アンカー５に各水平メッシュ筒８を取り付けた後、さらにアンカー５に外側メッシュシート１３を取り付け、内側メッシュシート７と外側メッシュシート１３とで各水平メッシュ筒８を挟み込む。この外側メッシュシート１３は、上述した内側メッシュシート７と同じものであり、その取り付け方法も同じである。
【００３９】
その後、図１に示すように、各アンカー５と外側メッシュシート１３とをＳＵＳ番線あるいはアルミ番線などのワイヤ１４でくくり、さらに各アンカー５に外側メッシュシート１３をＳＵＳ座金１５およびＳＵＳナット１６を用いて固定する。以上のようにして、内外のメッシュシート７，１３と水平メッシュ筒８とを一体に連結して骨組み体を形成する。
【００４０】
内側メッシュシート７と外側メッシュシート１３は、例えば、ポリ塩化ビニルなどの樹脂で、網目の大きさが２５ｍｍ×２５ｍｍ、厚さが約２．８ｍｍの碁盤目状に形成された剛性を有するシートであり、一枚の連続シートを使用してもよいし、所定の左右幅を有する複数枚のシートを使用して互いの網目が重なるようにして取り付けてもよい。
【００４１】
各水平メッシュ筒８としては、例えば、ポリ塩化ビニルなどの合成樹脂からなる剛性を有する多孔質管体を使用し、その外径は、例えば７０〜９０ｍｍのものを使用（本実施の形態では外径８０ｍｍ）する。
【００４２】
図３に示すように、各水平メッシュ筒８の両端部に、壁面Ｗの緑化する部分の高さＨと同じ長さの補強用の垂直メッシュ筒９ｒ，９ｌを垂直に配置し、これら垂直メッシュ筒９ｒ，９ｌを、外側メッシュシート１３にＳＵＳ番線やアルミ番線などのワイヤでくくって補強する。垂直メッシュ筒９ｒ，９ｌとしては、例えば、水平メッシュ筒８と同じ径と材質のものを使用する。
【００４３】
この垂直メッシュ筒９ｒ，９ｌと同様の垂直メッシュ筒を、水平メッシュ筒８の長さによって、上下の各水平メッシュ筒８間に適宜垂直に配置してさらに補強してもよい。
【００４４】
次に、図５に示すように、内側および外側メッシュシート７，１３間で、かつ上下の各水平メッシュ筒８間で区画された空間Ｓに水苔１８を充填して水苔層１９を形成する。
【００４５】
水苔１８は、園芸などで慣用されているものであり、緑化する植物の土壌となるもので、その根に最も優しく、しかも、一般の土壌と違って軽量であり、しかも保水力を有する。
【００４６】
この水苔１８の充填は、外側メッシュシート１３に、適度な間隔で適宜切り欠きを施して開閉部１７を形成し、その開閉部１７を通して充填する。この場合、充填後の水苔１８の成長のために、ある程度の隙間が形成されるように、充填する水苔１８と共にグラスファイバーなどの促成材を混ぜ込みながら、かつ、その水苔層１９が一様な外観が出るように全体を眺めながら順次充填する。その後、開閉部１７を閉じ、外側メッシュシート１３本体にアルミ番線などの上記と同様のワイヤ１４でくくって仮留めする。
【００４７】
開閉部１７をワイヤ１４で仮留めすることにより、施行後においても、傷んだ水苔１８や植物を容易に交換でき、植物のレイアウトの部分的変更も容易にできる。
【００４８】
次に、水平メッシュ筒８に挿通する灌水管１０と浄化層１２を説明する。
【００４９】
図１および図４に示すように、先ず、灌水管１０と浄化層１２とは、上下に配置された水平メッシュ筒８の１本おきに設けられる。図１〜図５では、灌水管１０が設けられる段を水平メッシュ筒８を給水用水平メッシュ筒８ａとして、浄化層１２が形成される水平メッシュ筒８を浄化用水平メッシュ筒８ｂとして、以下説明する。
【００５０】
灌水管１０は、給水用水平メッシュ筒８ａの内部に、その長さ方向に沿って挿通した塩ビ管などからなり、その長さ方向に適宜間隔で給水孔１１ｈが穿設された給水パイプ１１ｐと、その給水パイプ１１ｐを覆う多孔質のチューブ１１ｔとから構成される。
【００５１】
先ず、多孔質のチューブ１１ｔは、給水用水平メッシュ筒８ａ内に予め挿通して設けられ、給水パイプ１１ｐは水平メッシュ筒８の取付後に多孔質のチューブ１１ｔ内に挿入して灌水管１０とする。
【００５２】
灌水管１０への給水は、各段ごと給水源に接続するようにしてもよいが、図４に示すように、最上段の給水用水平メッシュ筒８ａに挿入した給水パイプ１１ｐを給水源に接続し、その他端部と下方の給水パイプ１１ｐを、コ字状の給水パイプ１１ｃで連結し、その下方の給水パイプ１１ｐの他端とさらに下方の段の給水パイプ１１ｐとをコ字状の給水パイプ１１ｃで連結し、以下順次下方の段の給水パイプ１１ｐをジグザグ状に連結して、最上段の給水パイプ１１ｐから最下段の給水パイプ１１ｐに蛇行して流れるようにする。
【００５３】
なお、各給水パイプ１１ｃは、図３で説明した垂直メッシュ筒９ｒ，９ｌ内に収納されるようにする。また、最下部の給水パイプ１１ｐの終端は、閉じておく。
【００５４】
各段の灌水管１０から給水用水平メッシュ筒８ａに流れる水量は、その下方の水苔層１９を湿潤させる程度の水量となるようにされる。
【００５５】
一方、浄化用水平メッシュ筒８ｂは、給水用水平メッシュ筒８ａ間に位置し、その内部に、木炭やベークライト等からなる浄化材１２ｂを充填して浄化層１２が形成される。
【００５６】
この浄化層１２は、その上方の水苔層１９から流下する水を一時的に保水すると共に濾過して浄化し、その浄化した水を、下方に位置する水苔層１９に給水する役目を果たす。
【００５７】
浄化材１２ｂの充填は、水平メッシュ筒８を取り付け後、浄化用水平メッシュ筒８ｂの上部をいったん切り取り、そこから細かく砕いた浄化材１２ｂを充填して行う。また浄化用水平メッシュ筒８ｂの両端部は、浄化材１２ｂの流出を防ぐために、ビニールテープなどで蓋をする。
【００５８】
これにより、各浄化用水平メッシュ筒８ｂの上方に位置する各給水用水平メッシュ筒８ａから滴り落ちた水や雨水の浄化に寄与でき、それらを一時的に保水することができる。
【００５９】
最後に、各水苔層１９（各空間Ｓ）をベースに、外側メッシュシート１３を通して、蔦類２、草花３、芝４、あるいはビニールポット物、挿芽物などの様々な植物を各水苔層１９の深くに植え、さらに適宜水苔１８を補充するなどし、流出を防ぐように丁寧に内側および外側メッシュシート７，１３間に挟み込んで壁面緑化構造１とする。
【００６０】
なお、最上部の給水用水平メッシュ筒８ａ上には、補強用あるいは天端材（笠木材）用としての水平メッシュ筒８ｕを配置し、これをワイヤで固定しておくとよい。
【００６１】
このように、本発明に係る壁面緑化構造１は、略直立あるいは傾斜したコンクリート製等の壁面を容易かつ自在に緑化できる点に特徴がある。
【００６２】
壁面緑化構造１は、その厚さｄが８０〜１００ｍｍであり、ほぼ水平メッシュ筒８の外径と同じなので、全面植付型の壁面緑化の限界に近い薄型である。壁面緑化構造１は、薄型であるだけでなく、主な部品が合成樹脂と水苔なので、重量が湿潤時１ｍ2 当たり約３０ｋｇ、乾燥時１ｍ2 当たり約８ｋｇと非常に軽量である。すなわち、植物の植生を被壁面に対して軽量且つ層厚を薄く達成できる。
【００６３】
また、壁面緑化構造１は、その形成に使用する部品が既存の製品ばかりであり、その既存の製品をうまく組み合わせた単純な構造なので、施工や植物の育成・維持が非常に容易かつ安価である。植物は主に各水苔層１９と外側メッシュシート１３近傍で成長するので、管理コストも安い。
【００６４】
この壁面緑化構造１は、灌水管１０が挿入された給水用水平メッシュ筒８ａと浄化層１２が形成された浄化用水平メッシュ筒８ｂを備えているので、構造自体に給水手段と浄化手段を備えていることになり、上水、中水、雨水の別なく各水苔層１９への散水に利用できる。
【００６５】
さらに、給水用水平メッシュ筒８ａや浄化用水平メッシュ筒８ｂ自体が壁面緑化構造１の構造材（骨組み体）を兼ねるため、部品の無駄が無く、安価で軽快で美しい壁面緑化が可能である。
【００６６】
本発明は、蔦のみで壁面を緑化する従来技術で説明した▲１▼のように、薄くかつ軽量で壁面Ｗを緑化できる長所と、壁面にコンクリート等の植樹桝を取り付けて壁面を緑化する従来技術で説明した▲３▼のように、植物の種類に制限なく壁面Ｗを緑化できる長所とを兼ね備えた点、しかもこれら▲１▼と▲３▼の短所を克服した点も特徴である。
【００６７】
すなわち、本発明によれば、直立した壁面Ｗ際に、壁面Ｗの緑化する部分あるいは壁面Ｗの略全面に各水苔層１９が設けられた薄型かつ軽量の壁面緑化構造１を容易に形成でき、その壁面緑化構造１の各水苔層１９に蔦はもちろん、様々な植物を自由に選択して植樹できるので、壁の厚さ、植物の種類、植物の配置箇所に制限なく、景観を向上できる。
【００６８】
従来技術で説明した▲１▼〜▲３▼では、壁面Ｗを全面緑化するにはかなりの日数がかかるが、本発明によれば、空間Ｓに植樹する植物の種類によっては、一日で壁面Ｗを全面緑化できる。
【００６９】
次に、図６〜図９により本発明の他の実施の形態を説明する。
【００７０】
図６は、本発明に係る植樹用ブロックの概略図である。
【００７１】
図１〜図５の例では、小規模施工法の例であるが、本例では、例えば、壁面Ｗの緑化する部分の面積が比較的広い（例えば、３０ｍ2 以上）場合に適用される。
すなわち、図１〜図５の実施の形態では、壁面Ｗにアンカー５を取り付け、そのアンカー５に壁面緑化構造１を形成する例で説明したが、本例では、壁面緑化構造１を形成する際に、予め植樹用ブロック６１ａを形成し、その植樹用ブロック６１ａを壁面Ｗに取り付けるようにしたものである。
【００７２】
図６に示すように、植樹用ブロック６１ａは、所定寸法に形成した内側メッシュシート７の内側に防根シート６を重ねると共に所定間隔を隔てて外側メッシュシート１３を設け、その間に水平メッシュ筒８ａ，８ｂを上下に並べて配置すると共に、その水平メッシュ筒８ａ，８ｂを垂直メッシュ筒８ｃで連結し、これらをワイヤで一体に連結した骨組み体から構成される。
【００７３】
また、図６では、詳細は示していないが、給水用水平メッシュ筒８ａには、図１〜５で説明したように灌水管１０が設けられ、同様に浄化用水平メッシュ筒８ｂには浄化層１２が形成され、さらに水平メッシュ筒８間と防根シート６と外側メッシュシート１３及び垂直メッシュ筒８ｃで区画された空間Ｓに、水苔１８が充填されて水苔層１９が形成される。水苔層１９には、植物の幹および葉の部分を外側メッシュシート１３の網目より植生しておく。
【００７４】
なお、植樹用ブロック６１ａの周縁は、上下が水平メッシュ筒８が位置し、左右端に垂直メッシュ筒８ｃが位置するように形成される。
【００７５】
植樹用ブロック６１ａの寸法は、例えば、縦Ｙ６が４ｍ、横Ｘ６が４ｍ、厚さが８０ｍｍとし、これを緑化する建物の壁に取り付けて、壁面緑化構造を形成する。
【００７６】
図７は、図６の植樹用ブロック６１ａを用いてさらに大規模の壁面を緑化する例を示したものである。
【００７７】
図７は、壁面Ｗ７の緑化する部分の面積が約３８４ｍ2 （左右幅Ｘ７約２４ｍ×高さＨ７約１６ｍ）の例であり、壁面Ｗ７には予めアンカー５を取り付けておき、そのアンカー５を挿通するように、図６に示した植樹用ブロック６１ａをそれぞれ縦４枚、横６枚整列するように取り付けて一体化した植樹用ブロック６１を形成し、壁面緑化構造７１を形成する。
【００７８】
なお、植樹用ブロック６１ａ同士は、ワイヤ等で相互に連結するが、灌水管１０は、適宜隣接する植樹用ブロック６１ａ同士で接続して、一箇所乃至複数箇所から給水できるようにされる。
【００７９】
次に、本発明に係る壁面緑化構造の一例を図８および図９を用いて説明する。
【００８０】
図８は、植樹用ブロック６１ａを、それぞれ縦、横に整列させて一体化した植樹用ブロック６１とし、これを、駐車場ビル（タワー型立体駐車場）８１（高さＨ８が２０ｍ前後）の壁面Ｗ８の緑化する部分に、移動型クレーン車８２で吊り上げて取り付けて壁面緑化構造７１を構成したものである。なお、駐車場８１の壁面Ｗ８にはアンカーを予め取り付け、そのアンカーにて植樹用ブロック６１を固定する。
【００８１】
植樹用ブロック６１としては、植樹用ブロック６１の強度および取り付け作業性をより向上させるため、図６で説明した垂直メッシュ筒８ｃ、水平メッシュ筒８は、例えば、金属製のメッシュ管を使用してもよい。また、植樹用ブロック６１の外枠に、金属管を用いて、植樹用ブロック６１を形成するようにしてもよい。
【００８２】
図９は、駐車場ビル９１の壁面Ｗ９を緑化する例を示したものである。
【００８３】
図９において、車９３が駐車する各階の駐車フロア９４の周囲の壁面Ｗ９とその壁面Ｗ９と上部の駐車フロア９４間の開口部９２に、植樹用ブロック６１を設けて、壁面緑化構造７１とする。
【００８４】
この駐車場ビル９１の壁面は、消防法上一定の開口を必要とするため、壁面緑化構造７１は、その全面を緑化するのではなく、適宜緑化した部分に開口が形成されるように、ある空間には水苔を充填しないようにすると共にその空間に位置した前後の内外のメッシュシートを切り取って開口を形成するようにする。
【００８５】
また本発明によれば、図８、図９に示した駐車場ビル８１，９１だけでなく、各階に一台の車が駐車収容される昇降型の立体駐車場の開口部を有する壁面を緑化することもできる。
【００８６】
図７〜図９で説明したように、建造物の壁面Ｗ７〜Ｗ９に本発明に係る壁面緑化構造７１を採用した場合、防音壁あるいは消音壁としての機能を充分に達成することができると共に、壁面を植物によって覆うことができるために、断熱効果を高めることで冷暖房効率を高めることができる。
【００８７】
このように、本発明に係る壁面緑化工法は、工法を単純化しているので、大面積の壁から小面積の壁まで緑化でき、さらに壁から屋根への連続する緑の流れも形成できる。また、小面積の壁面Ｗに壁面緑化構造１を直接取り付けることもでき、植樹用ブロック６１ａを地上で組み立て後、移動型クレーン車等で吊り上げて目的とする大面積の壁面Ｗ７〜Ｗ９に取り付けることもできるので、壁面の現場状況に合わせて、例えば高さ２〜２０ｍの壁まで自在に緑化できる。
【００８８】
上記実施の形態では、壁面Ｗは地盤Ｅに対して垂直な壁面として説明したが、本発明に係る壁面緑化構造１及び壁面緑化工法は、略直立な壁面、あるいは高さ方向に対して傾斜した斜面である壁面にも形成及び施工できるので、例えば、河川の堤防や土砂崩れを防止するコンクリート壁等の壁面であってもよい。壁面Ｗの材質についても、コンクリート製のみならず、例えば、モルタル製、タイル製であってもよい。
【００８９】
【発明の効果】
以上説明したことから明らかなように、本発明によれば、次のような優れた効果を発揮する。
【００９０】
（１）特に直立したコンクリート製等の壁面を容易かつ自在に緑化できる。
【００９１】
（２）植物の植生を被壁面に対して軽量且つ層厚を薄く達成できる。
【００９２】
（３）壁面緑化構造自体に給水手段と浄化手段とを備えているので、上水、中水、雨水の別なく散水に利用できる。
【００９３】
（４）給水用や浄化用の水平メッシュ筒自体が構造材を兼ねるため、無駄が無く、安価で軽快で美しい壁面緑化が可能である。
【００９４】
（５）建造物の壁面に本発明を採用した場合に、防音壁あるいは消音壁としての機能を充分に達成することができると共に、壁面を植物によって覆うことができるために、断熱効果を高めることで冷暖房効率を高めることができる。
【００９５】
（６）工法を単純化しているので、大面積の壁から小面積の壁まで緑化でき、さらに壁から屋根への連続する緑の流れも形成でき、壁面の現場状況に合わせて自在に緑化できる。
【図面の簡単な説明】
【図１】本発明の好適実施の形態を示す構造図である。
【図２】本発明に係る壁面緑化工法の一工程を示す概略図である。
【図３】本発明に係る壁面緑化工法の一工程を示す概略図である。
【図４】本発明に係る壁面緑化工法の一工程を示す正面図である。
【図５】本発明に係る壁面緑化工法の一工程を示す断面図である。
【図６】本発明に係る植樹用ブロックの概略図である。
【図７】本発明に係る壁面緑化構造の一例を示す斜視図である。
【図８】本発明に係る壁面緑化構造の一例を示す概略図である。
【図９】本発明に係る壁面緑化構造の一例を示す断面図である。
【符号の説明】
１  壁面緑化構造
５  アンカー
６  防根シート
７  内側メッシュシート
８ａ  給水用水平メッシュ筒
８ｂ  浄化用水平メッシュ筒
１０  灌水管
１０ｐ  給水パイプ
１１ｔ  多孔質のチューブ
１２  浄化層
１２ｂ  浄化材
１３  外側メッシュシート
１８  水苔
１９  水苔層
Ｓ  空間
Ｗ  壁面
【図１】
0003651893.tif 000002
【図２】
0003651893.tif 000003
【図３】
0003651893.tif 000004
【図４】
0003651893.tif 000005
【図５】
0003651893.tif 000006
【図６】
0003651893.tif 000007
【図７】
0003651893.tif 000008
【図８】
0003651893.tif 000009
【図９】
0003651893.tif 000010